(57)【要約】【課題】包装用ヘッダーにおいて、ステープラーや接着剤を用いることなく包装袋に安定して取付けることができるようにする。【解決手段】包装袋Ｆの上端部分Ｆ１に取付けられる包装袋用ヘッダー１は、包装袋Ｆが置かれる本体部２と、本体部２の左右両側において幅方向中央側に折曲げ可能に設けられた挟持片４と、本体部２の上側において、この本体部２に置かれる包装袋Ｆの上端部分Ｆ１とともに下方に折返し可能な折返し片３と、本体部２の左右両側において幅方向中央側に折曲げ可能に設けられた保持片５とを備える。包装袋Ｆを本体部２と挟持片４とで左右から挟み、挟持片４と折返し片３とで上方から挟み、その状態を保持片５で保持する。【選択図】図７
0003204491.tif 000002
【実用新案登録請求の範囲】
【請求項１】
包装袋の上部に取付けられて該包装袋の上端部分が折返された状態で該包装袋を支持する包装袋用ヘッダーであって、
上記包装袋が載せ置かれる本体部と、
上記本体部の左右両側に設けられ、該本体部の幅方向中央側に向けてそれぞれ折曲げられて、該本体部に載せ置かれた上記包装袋を該本体部とで左右から挟む挟持片と、
上記本体部の上端に連続して設けられて上記包装袋の上端部分が載せ置かれ、下方に折返されて上記挟持片とで該包装袋の折返された上端部分を上方から挟む折返し片と、
上記本体部の左右両側に設けられ、該本体部の幅方向中央側に向けてそれぞれ折曲げられて、上記折返し片の折返し状態を保持する保持片とを備えることを特徴とする包装袋用ヘッダー。
【請求項２】
請求項１において、上記保持片は、上記折返し片に係合可能な係合部を備えることを特徴とする包装袋用ヘッダー。
【請求項３】
請求項１又は２において、上記挟持片は、上記保持片の一部を切り欠いて形成されていることを特徴とする包装袋用ヘッダー。
【請求項４】
請求項１から３のいずれか１つにおいて、上記折返し片は、上記本体部に延設するように該折返し片の一部を切り欠いて形成された表示部を備えることを特徴とする包装袋用ヘッダー。
【考案の詳細な説明】
【技術分野】
【０００１】
本考案は、包装袋の上部に取付けられる包装袋用ヘッダーに関するものであり、特に、簡単に包装袋の上部に取付けられるようにした包装袋用ヘッダーに関するものである。
【背景技術】
【０００２】
従来より、包装袋用ヘッダーを包装袋の上部に取付ける方法として、ステープラーを打ち込むことが知られている。しかし、ステープラーを打ち込むと包装袋に孔を開けることとなり、包装袋の強度や気密性が確保できない等の問題があった。そこで、例えば特許文献１に示されるように、包装袋用ヘッダーを接着剤等で貼着する方法が提案されている。具体的には、包装用ヘッダーが支持片を備えた板紙からなり、包装袋の開口から支持片の下端部を差し込んで、当該下端部を包装袋とともに上方に折返して、折返した部分の上から支持片を折曲げて重ね合わせ、折曲げた支持片同士を貼着するようにしたものである。
【先行技術文献】
【特許文献】
【０００３】
【特許文献１】特開２００１−１８０７４４号公報
【考案の概要】
【考案が解決しようとする課題】
【０００４】
しかし、上記従来の特許文献１のものでは、接着剤で貼り合わせるため接着剤を塗布する手間がかかったり、接着剤の量によって接着不良が生じたり接着剤がはみ出したりするという問題があった。
【０００５】
本考案は斯かる点に鑑みてなされたものであり、その目的とするところは、包装袋用ヘッダーにおいて、ステープラーや接着剤を使用せずに包装袋に取付けることができるようにすることにある。
【課題を解決するための手段】
【０００６】
上記の目的を達成するために、この考案では、包装袋を左右方向及び上方から挟んで支持するようにした。
【０００７】
具体的には、第１の考案では、包装袋の上部に取付けられて該包装袋の上端部分が折返された状態で支持する包装袋用ヘッダーが前提である。そして、上記包装袋が載せ置かれる本体部と、上記本体部の左右両側に設けられ、該本体部の幅方向中央側に向けてそれぞれ折曲げられて、該本体部に載せ置かれた上記包装袋を該本体部とで左右から挟む挟持片と、上記本体部の上端に連続して設けられて上記包装袋の上端部分が載せ置かれ、下方に折返されて上記挟持片とで該包装袋の折返された上端部分を上方から挟む折返し片と、上記本体部の左右両側に設けられ、該本体部の幅方向中央側に向けてそれぞれ折曲げて、上記折返し片の折返し状態を保持する保持片とを備えている。
【０００８】
第２の考案では、第１の考案において、上記保持片は、上記折返し片に係合可能な係合部を備えている。
【０００９】
第３の考案では、第１又は第２の考案において、上記挟持片は、上記保持片の一部を切り欠いて形成されている。
【００１０】
第４の考案では、第１から第３のいずれか１つの考案において、上記折返し片は、上記本体部に延設するように該折返し片の一部を切り欠いて形成された表示部を備えている。
【考案の効果】
【００１１】
第１の考案によると、包装袋を本体部と挟持片とで左右方向から挟むとともに包装袋の折返された部分を挟持片と折返し片とで上方から挟み、その状態を保持片で保持することで、接着剤等を用いることなく包装袋を支持することができる。
【００１２】
第２の考案によると、保持片の係合部が折返し片に係合されることで折返し状態が保持されるので、包装袋を安定して支持することができる。
【００１３】
第３の考案によると、保持片の一部を切り欠いて挟持片が形成されているので別体で設ける必要がなく、全体をコンパクトにすることができる。
【００１４】
第４の考案によると、折返し片の一部を切り欠いて本体部に延設する表示部が形成されていることで、本体部とともに商品名等を表示する意匠面を広く確保することができる。また、表示部に包装用袋の吊下げ用の孔等を設けることができる。  
【図面の簡単な説明】
【００１５】
【図１】図１は、本考案の実施形態にかかる包装袋用ヘッダーが包装袋に取付けられた状態を示す斜視図である。
【図２】図２は、本考案の実施形態にかかる包装袋用ヘッダーの裏面を示す展開図である。
【図３】図３は、図２の状態にある包装袋用ヘッダーが包装袋に取付けられる途中の状態を示す平面図である。
【図４】図４は、図３の状態から更に進んだ状態を示す平面図である。
【図５】図５は、図４の状態から更に進んだ状態を示す平面図である。
【図６】図６は、図５の状態から更に進み、包装袋用ヘッダーが包装袋に取付けられた状態を示す平面図である。
【図７】図７は、図６の状態における斜視図である。
【図８】図８は、図７のVIII―VIII線端面図である。
【考案を実施するための形態】
【００１６】
以下、本考案の実施形態を図面に基づいて詳細に説明する。以下の好ましい実施形態の説明は、本質的に例示に過ぎず、本考案、その適用物或いはその用途を制限することを意図するものでは全くない。
【００１７】
（実施形態）
図１及び図２に示すように、包装袋用ヘッダー１は一枚の紙製のシートからなり、包装袋Ｆの上部に取付けられて、包装袋Ｆの上部が折返された状態で包装袋Ｆを支持できるようになっている。包装袋用ヘッダー１は、表面側に商品名や図柄等（図示省略）が描かれた本体部２を備える。本体部２の裏面側に包装袋Ｆが載せ置かれる（図３参照）。この時、本体部２は、支持力や見栄え向上の観点から、包装袋Ｆと同幅程度に形成されたものを用いることが好ましい。包装袋用ヘッダー１には、紙の他に合成樹脂等を使用することも可能である。使用する紙の例としては、上質紙、コート紙、アート紙、再生紙、馬糞紙、ダンボール紙等が挙げられる。また、使用する合成樹脂の例としては、ＰＥＴ、ＰＰ、塩化ビニール等が挙げられる。
【００１８】
図２に示すように、この本体部２の上端に連続して、本体部２と同幅の折返し片３が設けられている。詳細は後述するが、折返し片３が下方に折返されることで、包装袋Ｆの折返し部分である上端部分Ｆ１を挟持片４とで上方から挟むようになっている（図８参照）。
【００１９】
本体部２の左右両側に、本体部２の幅方向中央側に向けてそれぞれ折曲げ可能な挟持片４，４が一体に設けられている。詳細は後述するが、挟持片４，４は、本体部２に載せ置かれた包装袋Ｆを本体部２とで左右から挟むようになっている（図３参照）。
【００２０】
本体部２の左右両側に保持片５，５が一体に設けられている。保持片５は、折返した後の折返し片３に重なるように本体部２の幅方向中央側に向けてそれぞれ折曲げて、折返し片３に係合して折返し片３の折返し状態を保持するようになっている。保持片５は、図２に示すように、本体部２の左右両側に延びる細長い矩形状シートからなる。それぞれ先端に、折返し片３に係合させる係合部５３を備えている。
【００２１】
挟持片４は、保持片５の内側寄りの位置に、保持片５の一部を切り欠いて形成されている。具体的には、図２に示すように、挟持片４は、保持片５と本体部２の境界部分において保持片５の上下端部を残して縦方向に形成された折曲げ線４１と、折曲げ線４１の上下端部から幅方向外側に向かって延びる上切込み線４２及び下切込み線４３と、上切込み線４２及び下切込み線４３を連結する縦切込み線４４とで、略矩形状に形成されている。
【００２２】
保持片５は、本体部２との境界部分で挟持片４の折曲げ線４１が設けられていない上下端部において縦方向に設けられた内側折曲げ線５１と、内側折曲げ線５１の僅か外側に内側折曲げ線５１に平行して設けられた外側折曲げ線５２とを備える。外側折曲げ線５２は、挟持片４の上切込み線４２及び下切込み線４３と出合う位置までそれぞれ設けられている。保持片５の外側折曲げ線５２が、内側折曲げ線５１よりも僅かに幅方向外側に設けられているため、この外側折曲げ線５２と内側折曲げ線５１との間隔によって、包装袋Ｆや折返し片３が折返された時の厚み分を許容することができる。なお、包装袋Ｆや折返し片３の厚み分を考慮しなくもよい場合は、保持片５の外側折曲げ線５２を省略して、内側折曲げ線５１だけを設けるようにしてもよい。
【００２３】
図１及び図２に示すように、折返し片３は、本体部２と同幅の横長の矩形状で本体部２の上端に連続して一体に設けられている。本体部２との境界部分に形成された折返し線３３で下方に折返し可能となっている。この折返し線３３は、折返し片３の幅方向両端からそれぞれ途中まで延びている。この折返し線３３が設けられていない部分、即ち折返し片３の幅方向中央部分は、折返し片３を切り欠いて本体部２に延設するように形成された表示部３ａとなっている。表示部３ａは、折返し片３に設けられた上方に膨らむ略円弧状のスリット３２によって形成されている。折返し片３は、このスリット３２の内側が表示部３ａで、外側が折返し線３３で下方に折返し可能な返し部３ｂとなっている。表示部３ａと本体部２との境界部分には折返し線が設けられていないため、折返し片３のうち表示部３ａを残して返し部３ｂを折返すことで、表示部３ａを本体部２と同様に商品名や図柄等を表示する意匠面として使用することができる。また、この表示部３ａに包装袋の吊下げ用の孔を設けることも可能である。また、折返し片３に設けるスリットの形状を工夫することで、表示部３ａをハンガー形状にしたり、動物等の輪郭形状にしたりすることもできる。
【００２４】
図２に示すように、本体部２の左右に延びる保持片５，５は、上述したようにそれぞれ先端に係合部５３を備える。保持片５の係合部５３は、保持部５の下辺から上に延びる係合スリット５３ａと、この係合スリット５３ａよりも先端側に、下方に飛び出した突出部５３ｂを備える。詳細は後述するが、保持片５が折曲げられた後で、突出部５３ｂが折返し片３のスリット３２の内側に差し込まれ、係合スリット５３ａが折返し片３のスリット３２に引っかけられて保持片５を折返し片３に係合させるようになっている（図６参照）。
【００２５】
次に、図３から図６に基づいて、包装袋用ヘッダー１を包装袋Ｆに取付ける状態を順を追って説明する。
【００２６】
まず、図３に示すように、包装袋用ヘッダー１の裏面側に、包装袋Ｆを載せ置く。この時包装袋Ｆの上端が挟持片４よりも上方に飛び出すように（即ち、包装袋Ｆの上端が折返し片３に重なるように）置く。挟持片４よりも上方に飛び出した部分を、包装袋Ｆの上端部分Ｆ１と称す。この状態で、左右の挟持片４を、それぞれ折曲げ線４１で幅方向中央側に折曲げて包装袋Ｆの上に重ねる。このようにすることで、挟持片４が、本体部２に載せ置かれた包装袋Ｆを本体部２とで左右から挟むこととなる。
【００２７】
次に、図４に示すように、包装袋Ｆの上端部分Ｆ１を、挟持片４の上端（上側切込み線４２）を基準として下方に折返して、挟持片４に重ねる。
【００２８】
次に、図５に示すように、折返し片３の返し部３ｂを折返し線３３で下方に折返して、包装袋Ｆの上端部分Ｆ１に重ねる。このようにすることで、折返し片３が、包装袋Ｆの折返された上端部分Ｆ１を挟持片４とで上方から挟むこととなる（図８参照）。なお、より包装用袋Ｆの保持力を高めるためには、本実施形態のように包装袋Ｆの上端部分Ｆ１の長さ（折り幅）を少なくとも挟持片４の上下方向の長さ以上とすることが好ましい。即ち、包装袋Ｆの折り幅を長く設けることで、包装袋用ヘッダー１を吊下げたり、包装袋Ｆの充填物によって下方向に荷重が加わったりした場合でも、包装袋Ｆが包装袋用ヘッダー１から抜け落ちない効果を高めることができる。
【００２９】
なお、図４及び図５においては、包装袋Ｆの上端部分Ｆ１が折返される段階と、折返し片３の返し部３ｂが折返される段階とを別々に説明したが、図４の段階を省略して、図５に示すように折返し片３の返し部３ｂと包装袋Ｆの上端部分Ｆ１とを一緒に折返すようにしてもよい。この場合には、包装袋Ｆの上端部分Ｆ１も折返し片３の折返し線３３で折返されるので、挟持片４の上端（上切込み線４２）よりも僅かに上側で折返されることになるが、包装袋用ヘッダー１を吊下げると、包装袋Ｆが自然に少し下方にずれて、結果的に、包装袋Ｆの上端部分Ｆ１は挟持片４の上切込み線４２で折返された時と同じ状態となるので、問題はない。
【００３０】
次に図６に示す状態を説明する。保持片５を、内側折曲げ線５１（図５参照）で立ち上げるように折曲げ、更に外側折曲げ線５２で幅方向中央側に折曲げて、折返し片３の返し部３ｂに重ねる。そして、保持片５の係合部５３を、折返し片３のスリット３２に係合する。即ち、係合部５３の突出部５３ｂをスリット３２の内側に差し込んで、更に係合スリット５３ａをスリット３２に引っかけることで、保持片５を折返し片３に係合する。この時、保持片５に外側折曲げ線５２と内側折曲げ線５１とを設けてコ字状に折曲げるようにしているため、包装袋Ｆや折返し片３の厚み分を外側折曲げ線５２と内側折曲げ線５１との間に収めることができ、厚みのある包装袋Ｆや折返し片３であってもしっかりと保持することができる。
【００３１】
このようにして、図７に示すように、包装袋用ヘッダー１を包装袋Ｆに取付けることができる。
【００３２】
図８に示すように、包装袋用ヘッダー１の本体部２の裏面側（図８における上側）に包装袋Ｆが重ねられ、その上に挟持片４、包装袋Ｆの上端部分Ｆ１、折返し片３の返し部３ｂが順に重ねられ、最後に保持片５が重ねられている。本体部２の上部に一体に形成された折返し片３と本体部２の左右に一体に形成された保持片５とが、それぞれ折曲げられて係合部５３で係合されていることで、保持片５及び折返し片３が開くことなく、包装袋用ヘッダー１の包装袋Ｆへの取付状態が維持される。即ち、包装袋Ｆが挟持片４に引っかけられて、且つその状態で本体部２と折返し片３とで前後から挟み込まれる構造となっているため、包装袋Ｆを安定して支持することができる。
【００３３】
このように、包装袋Ｆが包装袋用ヘッダー１にしっかりと支持されるので、包装袋Ｆに充填物が充填された状態においても包装袋用ヘッダー１を持って包装袋Ｆを持ち運んだり、包装袋用ヘッダー１を陳列棚に吊下げたりすることができる。
【００３４】
特に、本考案による包装袋用ヘッダー１は、ステープラーを打ち込んで取付ける必要がないため、包装袋Ｆに孔を開けなくてもよい。よって、包装袋Ｆの強度や気密性の確保及び作業性の向上に有用である。また、接着剤等を用いる必要もないため、塗布作業の手間や、接着剤の量や塗布位置による仕上がりのばらつきをなくすことができる。さらに、ステープラーや接着剤等を用いることがないため、取付けや開封作業時にステープラーの針等のゴミが出るのを防止することもできる。さらに、包装袋用ヘッダー１は、１枚のシートを切り欠いて構成されているため、コンパクトで簡単に形成することができ、強度にも優れている。
【００３５】
なお、包装袋用ヘッダー１を包装袋Ｆに取付けた後で、取付状態の補強や開封確認のために、保持片５の係合部５３の上に封緘シール等を貼着してもよい。
【００３６】
また、一旦開封した包装袋Ｆの開口部に包装袋用ヘッダー１を取付けて、簡易的に袋閉じすることもできる。
【００３７】
（その他の実施形態）
上記実施形態では、保持片５の係合部５３を折返し片３のスリット３２に引っかけて係合させるようにしたが、折返し片３が開くことを防止できればよく、この構造に限られるものではない。例えば、左右の係合部同士を接続させてもよい。一例としては、保持片５の係合部同士が重なる長さにして、係合スリットを互いに上下逆向きに設けて、これらの係合スリット同士を引っかけて係合させるようにしてもよい。
【００３８】
また、上記実施形態では、係合スリット５３ａをスリット３２に係合させるようにしているが、スリット３２とは別に係合可能なスリットを設けて、そこに係合スリット５３ａを係合させてもよい。
【００３９】
また、上記実施形態では、折返し片３のスリット３２を円弧状にしたが、この形状に限られるものではなく、他の曲線や直線からなる他の形状としてもよい。
【００４０】
また、折返し片３はスリット３２によって返し部３ｂと表示部３ａとに分けられて、返し部３ｂが折返されるようにしたが、スリット３２で分けずに折返し片３が全て折返されるようにしてもよい。
【００４１】
また、本体部２の下側の輪郭形状は自由に設定すればよいものであり、形状は限定されない。
【符号の説明】
【００４２】
Ｆ        包装袋
Ｆ１      上端部分
１        包装袋用ヘッダー
２        本体部
３        折返し片
３ａ      表示部
３２      スリット
３３      折返し線
４        挟持片
４１      折曲げ線
４２      上切込み線
４３      下切込み線
４４      縦切込み線
５        保持片
５１      内側折曲げ線
５２      外側折曲げ線
５３      係合部
５３ａ    係合スリット
５３ｂ    突出部
【図１】
0003204491.tif 000003
【図２】
0003204491.tif 000004
【図３】
0003204491.tif 000005
【図４】
0003204491.tif 000006
【図５】
0003204491.tif 000007
【図６】
0003204491.tif 000008
【図７】
0003204491.tif 000009
【図８】
0003204491.tif 000010